(57)【要約】      （修正有）【課題】部品点数が少なく、組み立ても容易なパネル保持構造を提供する。【解決手段】パネル保持構造１００は、設置面１０に設けられたコンクリート製の基礎部材１１及び鋼製の支柱によって段違い平行棒状態に支持された複数のチャンネル材１３，１４と、複数のチャンネル材１３，１４上に傾斜姿勢で配置される太陽光発電パネル１５の保持手段である複数の梁材１６とを備えている。チャンネル材１３，１４は鋼製の帯状板材を曲げ加工して横断面が台形をなすように形成されたものであり、サイズ及び形状は同一である。複数の基礎部材１１はいずれも同じ高さであり、傾斜した太陽光発電パネル１５及び梁材１６の上位側に位置するチャンネル材１３は、基礎部材１１上にアンカー材１８及びアングル材１９で立設された支柱１２の上端部にネジ２０で固定され、下位側に位置するチャンネル材１４は基礎部材１１上にアンカー材１８で固定されている。【選択図】図３
2014005654.tif 000002
【特許請求の範囲】
【請求項１】
設置面に設けられた支持手段によって段違い平行棒状態に支持された複数のチャンネル材と、複数の前記チャンネル材上に傾斜姿勢で配置されるパネル材の保持手段とを備え、前記チャンネル材が帯状板材を曲げ加工して横断面が台形をなすように形成されたものであるパネル保持構造。
【請求項２】
前記チャンネル材の横断面において前記台形の脚に相当する部分を含む平板部分に前記保持手段を配置した請求項１記載のパネル保持構造。
【請求項３】
前記保持手段として、複数の前記チャンネル材上に当該チャンネル材と交差する方向に梁材を配置した請求項１または２記載のパネル保持構造。
【請求項４】
長手方向に隣り合う複数の前記チャンネル材を前記支持手段の位置において接続した請求項１〜３のいずれかに記載のパネル保持構造。
【請求項５】
前記チャンネル材を構成する板材に補強用の溝部、段差部若しくは凹凸部を設けた請求項１〜４のいずれかに記載のパネル支持構造。
【請求項６】
複数の前記チャンネル材を横切る方向に隣り合う前記支持手段を繋ぐ連接部材を設けた請求項１〜５のいずれかに記載のパネル支持構造。
【請求項７】
前記支持手段と前記チャンネル材とを繋ぐ補強部材を設けた請求項１〜６のいずれかに記載のパネル保持構造。
【発明の詳細な説明】
【技術分野】
【０００１】
本発明は、太陽光発電パネルや太陽熱温水パネルなどの各種平板状パネルを傾斜状態で保持するパネル保持構造に関する。
【背景技術】
【０００２】
近年、太陽光発電システムへの関心が高まり、メガソーラーなどと呼称される大規模な太陽光発電施設が日本各地に建設されている。メガソーラー施設においては多数の太陽光発電パネルが設置されるため、その保持構造については様々な方式が開発、施工されている（例えば、特許文献１〜３参照。）。
【０００３】
特許文献１記載の「太陽電池パネルの取付構造」は、取付土台に互いに平行に支持された複数の角筒状のレールと、複数のレールに架設され両端をレールに連結される太陽電池パネル用の支持フレームと、レールと支持フレームとを連結する連結部とを有し、レールには、その上壁の一部を長手方向に沿って連続的に開口したスリットが形成されている。
【０００４】
特許文献２記載の「太陽発電パネルの取付架台」は、平行に配置されフランジ部が形成された断面Ｃ字状の縦桟と、各縦桟の前部を支持フランジ部が形成された断面Ｃ字状の横桟と、縦桟の両フランジ部の外側に配置され、ボルトを挿通して両フランジ部の内側に配置された内部ナットで固定される縦桟金具と、横桟の両フランジ部の外側に配置され、ボルトを挿通して、両フランジ部の内側に配置された内部ナットで固体される横桟金具とを備えたものである。
【０００５】
特許文献３記載の「太陽電池パネル架台」は、基礎から立設された支柱と、支柱の他端側に取り付けられ、太陽電池パネルの傾斜方向と直交する方向の該太陽電池パネルの面に沿って配置される長尺の横材と、を備えたものである。
【先行技術文献】
【特許文献】
【０００６】
【特許文献１】特開２０１２−１９０６０号公報
【特許文献２】特開２０１２−２０４４号公報
【特許文献３】特開２０１２−５４４２０号公報
【発明の概要】
【発明が解決しようとする課題】
【０００７】
メガソーラー施設においては多数の太陽光発電パネルが広範囲にわたって設置されるため、その保持構造を構築するには、多大な資材と労力が必要である。このため、太陽光発電パネルの保持構造については、従来、部品点数の削減、部品の軽量化及び組立作業の簡易化が要請されている。
【０００８】
しかしながら、特許文献１〜３に記載された太陽光発電パネルの保持構造は、使用される資材の種類が多く、構造も複雑であるため、前述した要請に充分に応えられるレベルに達していない。
【０００９】
そこで、本発明が解決しようとする課題は、部品点数が少なく、組み立ても容易なパネル保持構造を提供することにある。
【課題を解決するための手段】
【００１０】
本発明のパネル保持構造は、設置面に設けられた支持手段によって段違い平行棒状態に支持された複数のチャンネル材と、複数の前記チャンネル材上に傾斜姿勢で配置されるパネル材の保持手段とを備え、前記チャンネル材が帯状板材を曲げ加工して横断面が台形をなすように形成されたものであることを特徴とする。
【００１１】
ここで、前記チャンネル材の横断面において前記台形の脚に相当する部分を含む平板部分に前記保持手段を配置することが望ましい。
【００１２】
また、前記保持手段として、複数の前記チャンネル材上に当該チャンネル材と交差する方向に梁材を配置することが望ましい。
【００１３】
さらに、長手方向に隣り合う複数の前記チャンネル材を前記支持手段の位置において接続することが望ましい。
【００１４】
一方、前記チャンネル材を構成する板材に補強用の溝部、段差部若しくは凹凸部を設けることができる。
【００１５】
また、複数の前記チャンネル材を横切る方向に隣り合う前記支持手段を繋ぐ連接部材を設けることもできる。
【００１６】
さらに、前記支持手段と前記チャンネル材とを繋ぐ補強部材を設けることもできる。
【発明の効果】
【００１７】
本発明により、部品点数が少なく、組み立ても容易なパネル保持構造を提供することができる。
【図面の簡単な説明】
【００１８】
【図１】本発明の第１実施形態であるパネル保持構造を示す一部省略平面図である。
【図２】図１中のＡ−Ａ線における横断面図である。
【図３】図１中のＢ−Ｂ線における縦断面図である。
【図４】図３中の矢線Ｃで示す部分の拡大図である。
【図５】図３中の矢線Ｄで示す部分の拡大図である。
【図６】図２中の矢線Ｅで示す部分の拡大図である。
【図７】図３に示すパネル保持構造を構成するチャンネル材の一部を示す斜視図である。
【図８】図７に示すチャンネル材の横断面図である。
【図９】本発明の第２実施形態であるパネル保持構造を示す横断面図である。
【図１０】図９中のＦ−Ｆ線における縦断面図である。
【図１１】本発明の第３実施形態であるパネル保持構造を示す横断面図である。
【図１２】図１１中の矢線Ｇで示す部分の拡大図である。
【図１３】図１１中の矢線Ｈで示す部分の拡大図である。
【図１４】図１１中のＩ−Ｉにおける断面図である。
【図１５】本発明の第４実施形態であるパネル保持構造を示す横断面図である。
【図１６】図１５中の矢線Ｊで示す部分の拡大図である。
【図１７】図１５中の矢線Ｋで示す部分の拡大図である。
【図１８】図１５中のＬ−Ｌ線における縦断面図である。
【図１９】本発明の第５実施形態であるパネル保持構造を示す横断面図である。
【図２０】図１９中の矢線Ｍで示す部分の拡大図である。
【図２１】図２０中に示すチャンネル材の横断面図である。
【発明を実施するための形態】
【００１９】
図１〜図８に基づいて本発明の第１実施形態であるパネル保持構造１００について説明する。図１〜図３に示すように、本発明の第１実施形態であるパネル保持構造１００は、設置面１０に設けられた支持手段であるコンクリート製の基礎部材１１及び鋼製の支柱１２によって段違い平行棒状態に支持された複数のチャンネル材１３，１４（図７参照）と、複数のチャンネル材１３，１４上に傾斜姿勢で配置される太陽光発電パネル１５（パネル材）の保持手段である複数の梁材１６と、を備えている。図８に示すように、チャンネル材１３，１４はいずれも鋼製の帯状板材１７を曲げ加工して横断面が台形をなすように形成されたものであり、サイズ及び形状は同一である。
【００２０】
図１〜図５に示すように、複数の基礎部材１１はいずれも同じ高さであり、傾斜した太陽光発電パネル１５及び梁材１６の上位側に位置するチャンネル材１３は、基礎部材１１上にアンカー材１８及びアングル材１９で立設された支柱１２の上端部にネジ２０で固定され、同じく下位側に位置するチャンネル材１４は、基礎部材１１上にアンカー材１８で固定されている。
【００２１】
梁材１６は、複数のチャンネル材１３，１４上に当該チャンネル材１３，１４と立体交差する方向に配置されている。図３，図４，図５，図７，図８に示すように、チャンネル材１３，１４は、その横断面において台形の上底Ｘ及び下底Ｙに相当する部分が鉛直方向をなすように配置され、チャンネル１３，１４の横断面において台形の脚Ｚに相当する部分を含む平板部分１３ａ，１４ａに梁材１６がネジ２１で固定されている。
【００２２】
図２に示すように、チャンネル材１３の長手方向に隣り合う支持手段（支柱１２及び基礎部材１１）の配置間隔はチャンネル材１３の長手方向のサイズと同等に設定されているため、図６に示すように、長手方向に隣り合う複数のチャンネル材１３は支持手段を構成する支柱１２の位置において接続されている。また、図示していないが、長手方向に隣り合う複数のチャンネル材１４も支持手段（支柱１２及び基礎部材１１）の位置において接続されている。また、図２，図６に示すように、基礎部材１１に固定されたアングル材１９とチャンネル材１３とを繋ぐ補強部材２３が設けられている。
【００２３】
パネル保持構造１００においては、図７，図８に示すようなチャンネル材１３，１４を段違い平行棒状態に配置しているため、従来技術より少ない部品点数で、太陽光発電パネル１５を傾斜状態に保持することができる。また、チャンネル材１３，１４は、予め工場などにおいて当該形状に製作した状態で施工現場に搬入することができるので、パネル保持構造１００の組み立ては容易である。なお、チャンネル材１３，１４の横断面において台形の脚Ｚに相当する部分と下底Ｙに相当する部分との間のコーナ部の曲げ角度を変えることにより、太陽光発電パネル１５の傾斜角度を任意に設定することができる。
【００２４】
次に、図９，図１０に基づいて、本発明の第２実施形態であるパネル保持構造２００について説明する。なお、図９，図１０に示すパネル保持構造２００において、前述したパネル保持構造１００と共通する部分については図１〜図８中の符号と同符号を付して説明を省略する。
【００２５】
図９，図１０に示すように、パネル保持構造２００においては、図３に示すコンクリート製の基礎部材１１に代わる支持手段として、設置面１０に杭材３０を打設し、高位側のチャンネル材１３ｂは杭材３０上に支柱１２を介して取り付けられ、低位側のチャンネル材１４ｂは杭材３０上にネジ２２で固定されている。また、太陽光発電パネル１５の傾斜方向（複数のチャンネル材１３ｂ，１４ｂを横切る方向）に隣り合う杭材３０同士は連接部材３１によって繋がれている。連接部材３１の両端部はそれぞれ杭材３０の頭部にネジ止めされている。
【００２６】
パネル保持構造２００においては、支持手段として杭材３０を用いているため、図３に示すようなコンクリート製の基礎部材１１の構築工事が不要であり、工事期間の短縮化を図ることができる。
【００２７】
次に、図１１〜図１４に基づいて、本発明の第３実施形態であるパネル保持構造３００について説明する。なお、図１１〜図１４に示すパネル保持構造３００において、前述したパネル保持構造１００，２００と共通する部分については図１〜図１０中の符号と同符号を付して説明を省略する。
【００２８】
図１１〜図１３に示すように、パネル保持構造３００においては、複数のチャンネル材１３，１４の支持手段として、高さの異なるコンクリート製の基礎部材４０，４１が設置面１０に立設され、基礎部材４０，４１の上部に埋設されたアンカー材４２，４３にそれぞれチャンネル材１３，１４がネジ４４で固定されている。
【００２９】
パネル保持構造３００においては、チャンネル材１３，１４の支持手段として、高位側のチャンネル材１３及び低位側のチャンネル材１４のそれぞれの配置位置付近までの高さを有するコンクリート製の基礎部材４０，４１を用いているので、支持手段の強度が大であり、耐久性も良好である。
【００３０】
また、図１４に示すように、アンカー材４２には、チャンネル材１３を固定するネジ４４（図１２参照）を挿通するために水平方向に拡幅した長孔４５が開設されているため、アンカー材４２に対するチャンネル材１３の長手方向の寸法誤差に容易に対応することができる。なお、長孔４５の代わりに、長孔４５の長径程度の内径を有するルーズ孔（図示せず）を開設すれば、チャンネル材１３の長手方向の寸法誤差に限らず、その他の方向の寸法誤差に対応した微調整を行うことができる。
【００３１】
次に、図１５〜図１８に基づいて、本発明の第４実施形態であるパネル保持構造４００について説明する。なお、図１５〜図１８に示すパネル保持構造４００において、前述したパネル保持構造１００，２００，３００と共通する部分については図１〜図１４中の符号と同符号を付して説明を省略する。
【００３２】
図１５〜図１７に示すように、パネル保持構造４００においては、図９に示すパネル保持構造２００を構成するチャンネル材１３，１４の代わりにそれぞれチャンネル材５３，５４を設けている。また、図１８に示すように、チャンネル材５３と杭材３０とは、Ｖ字状に配置された補強部材２３によって連結され、パネル保持構造２００における高位側の支柱１２（図１０参照）を省略した構造となっている。
【００３３】
図１５〜図１７に示すように、チャンネル材５３，５４の横断面形状はいずれも台形であるが、図１６に示すように、チャンネル材５３においては、台形の上底に相当する部分（後述するガセットプレート５５が取り付けられている部分）と傾斜脚に相当する部分（梁材１６が取り付けられている部分）が鈍角をなすように折り曲げられているのに対し、図１７に示すように、チャンネル材５４においては、台形の下底に相当する部分（後述するガセットプレート５５が取り付けられている部分）と傾斜脚に相当する部分（梁材１６が取り付けられている部分）が鋭角をなすように折り曲げられている。
【００３４】
従って、図１５，図１６に示すように、チャンネル材５３は台形の上底に相当する部分を下位側（チャンネル材５４側）に向けて配置され、図１５，図１７に示すように、チャンネル材５４は台形の下底に相当する部分を上位側（チャンネル５３側）に向けて配置されている。
【００３５】
また、長手方向に隣り合う複数のチャンネル材５３，５４は四角板状のガセットプレート５５及びネジ５６によって接合されている。チャンネル材５３においては台形の上底に相当する部分（開口部分）にガセットプレート５５がネジ５６で固定され、チャンネル材５４においては台形の下底に相当する部分（開口部分）にガセットプレート５５がネジ５６で固定されている。
【００３６】
図１８に示すように、ガセットプレート５５は、長手方向に隣り合うチャンネル材５３の接合部分だけでなく、チャンネル材５３の開口部分に、その長手方向に沿って所定間隔ごとにネジ（図示せず）で固定されている。なお、図示していないが、チャンネル材５４に対しても、同様にガセットプレート５５がネジで固定されている。
【００３７】
パネル保持構造４００においては、チャンネル材５３，５３の接合部分のみならず、その他の部分にも所定間隔ごとにガセットプレート５５をネジ５６で固定しているため、チャンネル材５３，５４の剛性が高まり、強度向上に有効である。
【００３８】
次に、図１９〜図２１に基づいて、本発明の第５実施形態であるパネル保持構造５００について説明する。なお、図１９〜図２１に示すパネル保持構造５００において、前述したパネル保持構造１００，２００，３００，４００と共通する部分については図１〜図１８中の符号と同符号を付して説明を省略する。
【００３９】
図１９に示すように、パネル保持構造５００においては、図９に示すパネル保持構造２００を構成するチャンネル材１３，１４の代わりにそれぞれチャンネル材６３，６４を設けている。チャンネル材６３，６４はサイズ及び形状が同一であるため、図２０，２１に基づいてチャンネル材６４について説明する。
【００４０】
図２０，図２１に示すように、チャンネル材６４の横断面において台形の下底Ｙに相当する平板部分に、複数の補強用の溝部６５が形成されている。複数の溝部６５はチャンネル材６４の長手方向に沿って互いに平行をなすように形成されている。複数の溝部６５は、曲げ加工によってチャンネル材６４を形成する工程において形成することができる。
【００４１】
チャンネル材６３，６４に複数の溝部６５を形成することにより剛性が高まるので、チャンネル材１３，１４（図９参照）を形成する帯状板材よりも薄い帯状板材でチャンネル材１３，１４と同等の強度を得ることができる。これにより、チャンネル材６３，６４は軽量化を図ることができる。なお、図９，図１０に示すパネル保持構造２００を構成するチャンネル材１３ｂ，１４ｂもそれぞれチャンネル材６３，６４と同様の形状を有しているため、チャンネル材６３，６４と同様の作用、効果を発揮する。
【００４２】
なお、前述したパネル保持構造１００，２００，３００，４００，５００は本発明を例示するものであり、本発明のパネル保持構造はこれらに限定されない。
【産業上の利用可能性】
【００４３】
本発明のパネル保持構造は、太陽光発電パネルや太陽熱温水パネルなどの各種平板状パネルを傾斜状態で保持する構造体として、土木建設業などの分野において広く利用することができる。
【符号の説明】
【００４４】
１０  設置面
１１，４０，４１  基礎部材
１２  支柱
１３，１４，１３ｂ，１４ｂ，４３，４４，６３，６４  チャンネル材
１３ａ，１４ａ  平板部分
１５  太陽光発電パネル
１６  梁材
１７  帯状板材
１８，４２  アンカー材
１９  アングル材
２０，２１，２２，４４，５６  ネジ
２３  補強部材
３０  杭材
３１  連接部材
５５  ガセットプレート
１００，２００，３００，４００，５００  パネル保持構造
Ｘ  上底
Ｙ  下底
Ｚ  脚
【図１】
2014005654.tif 000003
【図２】
2014005654.tif 000004
【図３】
2014005654.tif 000005
【図４】
2014005654.tif 000006
【図５】
2014005654.tif 000007
【図６】
2014005654.tif 000008
【図７】
2014005654.tif 000009
【図８】
2014005654.tif 000010
【図９】
2014005654.tif 000011
【図１０】
2014005654.tif 000012
【図１１】
2014005654.tif 000013
【図１２】
2014005654.tif 000014
【図１３】
2014005654.tif 000015
【図１４】
2014005654.tif 000016
【図１５】
2014005654.tif 000017
【図１６】
2014005654.tif 000018
【図１７】
2014005654.tif 000019
【図１８】
2014005654.tif 000020
【図１９】
2014005654.tif 000021
【図２０】
2014005654.tif 000022
【図２１】
2014005654.tif 000023